(57)【特許請求の範囲】
【請求項１】
フロント部の端部に開閉可能に取り付けられるテンプルを有し、メガネの着用中、テンプルにより頭部に対して適切な圧力を加えるための付勢装置であって、
フロント部は、よろい部先端より内側に形成された取り付け部を有し、該取り付け部は貫通孔状に形成され、該貫通孔状の取り付け部の内部に、可動片が基端にて軸部により回転可能に取り付けられるとともに、可動片の後端にテンプルが開閉可能に設けられており、
テンプルを開くことにより接近してほぼ接触可能になり、テンプルを閉じることにより離
間する、接近・離間部分をフロント部のよろい部と可動片に具備し、
テンプルを開くことに伴い、接近・離間部分が接近することにより反発力を生じ、テンプ
ルを閉じる方向に作用させるために、１対の磁石片を、上記の接近・離間部分の、接近し
てほぼ接触可能になる対向面に配置した構成を有する
メガネにおけるテンプルの付勢装置。
【請求項２】
接近・離間部分を構成している可動片は、着用中、頭部に対して適切な圧力を加えるため
に、必要な角度だけ磁力を受けて自由に回転可能であり、着用のためにテンプルを開閉す
る軸支部分は、可動片の後端に設けられている請求項２記載のメガネにおけるテンプルの
付勢装置。
【発明の詳細な説明】
【技術分野】
【０００１】
本発明は、フロント部の端部に開閉可能に取り付けたテンプルを有し、着用中、テンプルにより、頭部に対して適切な圧力を加えるための付勢装置に関するものである。
【背景技術】
【０００２】
メガネをかけている間は、テンプルから頭部に弾力的な力が加わり、メガネを保持しているのが普通である。従来、この力は、テンプルの曲げによって発生する反力や、テンプルの取り付け部分に取り付けた、ばねを使用する蝶番機構によって得ている。このような圧力は、強い場合にはよりしっかりとメガネを保持することができるが、強過ぎると圧迫感や痛みを生じることがあり、逆に弱い場合には痛くない代わりに保持力が不足し、ずれ落ちやすくなるため、適切な保持力が要求される。
【０００３】
一方、メガネフレームのテンプルを開いた状態からさらに僅かに押し開くことができるいわゆるばね蝶番と呼ばれる機構を備えたものが公知であり、このような機構を持つものでは、テンプルを開いた状態からさらに僅かに押し開くことができる。そして、磁力によりテンプルを開き状態に固定するものは、特開２００１−２５５４９７号や、特許第２９４５６５６号として開示されている。しかしながらこれらの発明は、ばね蝶番と呼ばれる機構の代わりに磁石を用いるものであり、破損防止が主目的である。
【０００４】
また特開２００４−１０９８４１号では、よろいとテンプルとの連結構造を簡単にすることにより、加工、組み立てを容易にし、全体のコストを下げる目的でよろいの上下固定片に固定側磁石を取り付け、テンプルの可動片に可動側磁石を取り付け、それらの磁石を互いに吸引させ、テンプルを展開位置に保持する発明を開示している。従って、この発明は、テンプルを展開位置に規定する機能を、固定側磁石と可動側磁石の磁気吸着作用に求めているものである。
【０００５】
しかし、いずれの発明も、頭部に対して適切な圧力を加えるためになされたものではなく、また、そのような効果を有するものでもない。テンプルにより頭部に対する適切な保持力を得ることは、メガネを快適に使用する上で重要な事項である。なお、メガネの購入時には、頭部に対して適切な保持力が得られるように調節されるが、１回で最適の状態を得ることも少ない。一般的には、やがて慣れることにより、適切になるものと考えられるが、それまでの間に掛け外しを繰り返すと、テンプルが外側へ変形し、緩みを生じて調整を繰り返すことになりかねない。
【０００６】
【特許文献１】特開２００１−２５５４９７号
【特許文献２】特開２００４−１０９８４１号
【特許文献３】特許第２９４５６５６号
【発明の開示】
【発明が解決しようとする課題】
【０００７】
本発明は以上の点に着目して成されたもので、その課題は、頭部に対して適切な圧力を加えることができる、メガネにおけるテンプルの付勢装置を提供することである。また、本発明の他の課題は、メガネの掛け具合を調整する頻度を少なくするとともに、外力を受けたときに衝撃を吸収し、損傷を防ぐことができるようにする点にある。
【課題を解決するための手段】
【０００８】
前記の課題を解決するため本発明は、フロント部の端部に開閉可能に取り付けられるテンプルを有し、メガネの着用中、テンプルにより頭部に対して適切な圧力を加えるための付勢装置として、フロント部は、よろい部先端より内側に形成された取り付け部を有し、取り付け部は貫通孔状に形成され、貫通孔状の取り付け部の内部に、可動片が基端にて軸部により回転可能に取り付けられるとともに、可動片の後端にテンプルが開閉可能に設けられており、テンプルを開くことにより接近してほぼ接触可能になり、テンプルを閉じることにより離間する、接近・離間部分をフロント部のよろい部と可動片に具備し、テンプルを開くことに伴い、接近・離間部分が接近することにより反発力を生じ、テンプルを閉じる方向に作用させるために、１対の磁石片を、上記の接近・離間部分の、接近してほぼ接触可能になる対向面に配置するという手段を講じたものである。
【０００９】
本発明の装置を適用するメガネは、言うまでもなく、フロント部の端部に開閉可能に取り付けたテンプルを有しているタイプのメガネである。そのようなメガネの着用中に、テンプルから受ける圧力を適切なものとするために、本発明の装置は、以下のような構成を有するものとする。本発明において、フロント部とは、縁無しメガネと、縁を有するメガネの両方を含む概念として使用している。
【００１０】
まず、本発明の装置は、フロント部とテンプルとの関係において、テンプルを開くことにより接近してほぼ接触可能になり、テンプルを閉じることにより離間する、接近・離間部分を、フロント部のよろい部とテンプルに具備する。フロント部に対するテンプルの開閉可能な取り付け方は極めて多様であるが、しかし、フロント部のよろい部に対して回転可能にテンプルを取り付けてあり、それにより、よろい部とテンプルの間に接近・離間部分が形成される構成を有するものであれば、本発明を適用することができる。
【００１１】
接近・離間部分として必要な条件は、テンプルを開いたときに、ほぼ接触可能な状態にまで接近することである。勿論、最もテンプルを開き、接近・離間部分が最接近しているときには接触しても良いが、後述するように磁気反発力が働いているときに、接触するのは一時的な場合と考えられる。また、テンプルを閉じたときに、接近・離間部分は最も離間した状態になる。
【００１２】
次に、本発明の装置は、テンプルを開くことに伴い、接近・離間部分が接近することにより反発力を生じ、テンプルを閉じる方向に作用させるために、１対の磁石片を、上記の接近・離間部分の、接近してほぼ接触可能になる対向面に配置する、という手段を具備する。これは、１対の磁石片の例えばＮ極とＮ極を向き合うように配置し、向き合ったまま接近、離間させるということである。１対の磁石片とは、ＮＳ１対の磁石ということであって、夫々１個だけという訳ではなく、複数個ずつ配置することもできる。
【００１３】
本発明を実施する場合において、フロント部は、よろい部先端より内側に形成された取り付け部を有し、取り付け部に、可動片が基端にて軸部により回転可能に取り付けてあり、可動片は、取り付け部より外側のよろい部とともに接近・離間部分を構成していて、接近・離間部分の相対する面に、１対の磁石片が固定されている、という構成を取ることができる。この場合において、可動片は、頭部に対して適切な圧力を加えるために必要な範囲だけ回転可能なものであれば良い。
【００１４】
この構成をとる場合、可動片は、よろい部に自由に回転できるように取り付けられる。即ち、接近・離間部分を構成している可動片は、着用中、頭部に対して適切な圧力を加えるために、必要な角度、磁力を受けて自由に回転可能であることにより、磁気反発力を、摩擦のロスなく、回転力に変換することができる。そして、着用のためにテンプルを開閉する軸支部分は、可動片の後端に設けられる
【発明の効果】
【００１５】
本発明は上記のように構成されかつ作用するものであるから、よろい部とテンプルの接近・離間部分に１対の磁石片を配置し、テンプルを開き、接近・離間部分が接近することにより磁気反発力を生じて、頭部に対して適切な圧力を加えることができるという効果を奏する。また、本発明によれば、磁気反発力により適切な強さの保持力が得られるので、メガネの掛け具合を調整する頻度を少なくするとともに、外力を受けたときに衝撃を吸収し、損傷を防ぐことができるようにすることができる。
【発明を実施するための最良の形態】
【００１６】
以下図示の実施形態を参照し、本発明のメガネにおけるテンプルの付勢装置について、より詳細に説明する。図１は、本発明の付勢装置を適用したメガネ１０の平面形を、また図２は、側面形を示す。メガネ１０は、レンズを嵌めるフロント部１１、フロント部１１の左右の端部に位置するよろい部１２、よろい部１２に開閉可能に取り付けられることになるテンプル１３を有している。
【００１７】
フロント部１１のよろい部１２の先端よりも内側には、取り付け部１４が貫通孔状に形成されており、取り付け部１４には、可動片１５が基端にて軸部１６により頭部に対して適切な圧力を加えるために必要な角度だけ、自由回転可能に取り付けてある。さらに、よろい部１２とテンプル１３との間には、テンプル１３を開くことにより、ほぼ接触可能に接近し、テンプル１３を閉じることにより離間する接近・離間部分１７が設けられている。接近・離間部分１７は、フロント部１１のよろい部１２の側において、左右外方かつ後方へと湾曲して伸びた、よろい部１２の内面１２ａと、上記軸部１６とテンプル１３を連絡するほぼＬ字状の可動片１５の外面１５ａとから構成されている。
【００１８】
即ち、図示の例においては、テンプル１３が、左右外方かつ後方へと湾曲して伸びたよろい部１２と、軸部１６とテンプル１３を連絡するほぼクランク状の可動片１５により、必要な角度だけ磁力を受けて低摩擦で自由に回転可能であるように設けられている。さらに、可動片１５には、メガネの着用のためにテンプル１３を開閉する軸支部分２０が、可動片１５の後端に設けられている。なお、図示のよろい部１２は、図２に示すようにデザイン的にも、テンプル１３とつながっている。
【００１９】
そして、接近・離間部分１７を構成しているよろい部１２の内面１２ａと、可動片１５の外面１５ａに面して凹部１８、１９とが設けられ、これらに、１対の磁石片２１、２２が夫々固定されているものである。１対の磁石片２１、２２は、テンプル１３を開くことに伴い、接近・離間部分１７が接近し、反発力を生じるように、例えばＮ極とＮ極を向き合うように配置し、向き合ったまま接近、離間させるものとする。接近・離間部分１７、又は１対の磁石片２１、２２は、最もテンプルを開き、接近・離間部分が最接近しているときには接触しても良い。
【００２０】
このように構成されている、本発明のメガネにおけるテンプルの付勢装置は、メガネを着用するために、テンプル１３を、軸支部分２０を中心に開いた状態にすると、１対の磁石片２１、２２の極性が、例えばＮ極同士同じであることにより、磁気反発力を受けているので、図３に示すように、やや、閉じた状態になる。そして、メガネを着用した場合には、磁気反発力により生じていた接近・離間部分１７の隙間Ｇが狭まり、また、接触可能な状態になるので、テンプル１３は常に磁気反発力の作用を受け、適切な圧力を頭部Ｈに加えることになる（図１参照）。
【００２１】
本発明の構成によれば、１対の磁石片２１、２２から軸部１６までの距離と、軸部１６からテンプル後部の作用点までの距離の比即ちモーメントの比に応じて、テンプルの作用に寄与する圧力の大きさが変わることになる。磁気反発力は、上記モーメントの比が大きいほど作用点におけるテンプル１３の移動量は大きくなり、圧力は弱くなる。磁気反発力による、頭部に対する圧力の最適値は、上記の条件を勘案して適切な値を設定し、また、これにテンプル１３の弾性を合わせ考慮して決定することができる。なお、テンプル１３を外方へ押し拡げる外力が加わった場合、上記の隙間Ｇの範囲であればその外力を吸収可能である。
【図面の簡単な説明】
【００２２】
【図１】本発明に係るメガネにおけるテンプルの付勢装置の一例を一部破断して示す平面図。
【図２】図１のものの側面図。
【図３】本発明の装置の要部を一部破断して示すもので、テンプルを開いた状態の上面図。
【図４】図３と同様要部を一部破断して示すもので、めがねを着用し、テンプルが開いた状態の上面図。
【符号の説明】
【００２３】
１０  メガネ
１１  フロント部
１２  よろい部
１３  テンプル
１４  取り付け部
１５  可動片
１６  軸部
１７  接近・離間部分
１８、１９  凹部
２０  軸支部
２１、２２  磁石片
【図１】
0004789707.tif 000002
【図２】
0004789707.tif 000003
【図３】
0004789707.tif 000004
【図４】
0004789707.tif 000005